(57)【要約】【課題】  暑い直射光線が入射する既設の天窓を光拡散型天窓に改善するために、拡散板の設置を効率的に行う一体構造の拡散板取付リブを提供する。【解決手段】  既設の取付鉄骨００３に拡散板００１を迅速安全に設置することを目的とする一体構造の拡散板取付リブ００２であって、一体構造の拡散板取付リブ００２の長形方向の両端には拡散板００１の横ずれ防止部００５と下部には取付鉄骨００３からの横ずれ防止部００６を有するとともに、一体構造の拡散板取付リブ００２の上部は拡散板の設置部００７があり、拡散板押えプレート部００８の短形幅で拡散板００１の熱伸縮幅を確保するとともに、長形幅でボルト、ナット部００９を締め拡散板００１を押え込むことができることを特長とする、一体構造の拡散板取付リブ００２【選択図】図３
2019127811.tif 000002
【特許請求の範囲】
【請求項１】
既設の取付鉄骨に拡散板を迅速安全に設置することを目的とする一体構造の拡散板取付リブであって、一体構造の拡散板取付リブの長形方向両端には拡散板の横ずれ防止部と下部には取付鉄骨からの横ずれ防止部を有するとともに、一体構造の拡散板取付リブの上部面には拡散板の設置部があり、拡散板押えプレート部の短形幅で拡散板の熱伸縮幅を確保するとともに、長形幅でボルト、ナット部を締め拡散板を押え込むことができることを特長とする、一体構造の拡散板取付リブ。
【発明の詳細な説明】
【技術分野】
【０００１】  ガラスだけの既設天窓を光拡散型天窓と同じ拡散光を得るために、拡散板を安全、迅速、低コストで設置することを可能とする一体構造の拡散板取付リブに関する。
【背景技術】
【０００２】  ガラスだけの天窓は既設の屋根に多く設置されており、太陽直射光線入射時には暑くて作業環境を劣悪にしている。また、明るいところと暗いところがはっきりしており照明として不向きである。光拡散型の天窓も開発されているが普及はこれからである。【０００３】  既設のガラスだけの天窓に拡散板を取付け光拡散型天窓にするにはガラスの目地シールを切り取り、ガラスをはずし、拡散板を取付けガラスの復旧をしなければならず、構成部材は長期間の使用で劣化しており新品交換などコスト、作業の難易度ともに大変な作業である。
既設の天窓に触れることなく床から高所作業車や作業足場を組み迅速に設置することが望まれている。【０００４】  特許文献１は、これを解決すべく考案したものであるが、特殊な取付ボルト、ジョイナーの製作、電動工具での締め付け作業、構成部材の多さ、コスト高、作業に多くの時間がかかることから普及していない。
【先行技術文献】
【特許文献】
【０００５】
【特許文献１】特許第５９４５０３２号公報
【特許文献２】特開２００１−２８８８５９号公報
【特許文献３】特開２００２−１３８６３４号公報
【特許文献４】特願２００４−１７９９０号公報
【発明の概要】
【発明が解決しようとする課題】
【０００６】  高所作業となるため、安全で迅速な設置作業が求められている。このため構成部材はできるだけ少なく電動工具も使用しなくてもよい一体構造の取付リブが求められる。作業は操業休止日に行うため、できるだけ早く作業を終える必要がある。【０００７】  例えば、特許文献２では、ガラスだけの天窓の枠に拡散板をビスなどで取り付け直射光線を拡散光にする有効な技術であるが、鉄骨構造の既設天窓に取り付けるのには適していない。特許文献３は、拡散板を外部から外に設置するため取り付けるためのビスやボルトの劣化に不安がある。本考案のように天窓に触れことなく既存の取付鉄骨に迅速に設置する技術ではない。特許文献４は、ガラスの下に新設時当初から拡散板を敷き込む工法であり、取付鉄骨に後から拡散板を取り付ける技術ではない。
【課題を解決するための手段】
【０００８】  拡散板を取り付けるためのすべての機能を、一体構造の取付リブにまとめることにより、一体構造の取付リブと拡散板だけの二つの構成部材だけの工法が可能となる。一体構造の取付リブには拡散板の押えプレート部にボルトと蝶ナット部も有している。蝶ナットを手締めすることにより電動工具は使わなくてもよい。【０００９】  拡散板の熱伸縮幅を確保するため、押えプレート部の短形幅は１２ミリを確保している。拡散板と取付リブの仮置状態の時押えプレート部は拡散板と拡散の接続部に入りゲージの役割を果たす。押えプレート部の長形幅を１０ミリ程度持ち上げ９０度回転して蝶ナット部を手で締めて拡散板を固定する。強い風が発生する場所では一体構造の拡散板取付リブの下部にストッパーを設けることもできる。
【発明の効果】
【００１０】  拡散板の取付けリブが一つにまとめられ一体構造になったことにより、短時間の施工が可能になるとともに、高所での安全作業が確保される。【００１１】  設置する構成部材は高価な特別な部材は使用しなくてもよくなり、コスト低減になるとともに工期短縮にもなり採用する側にも負担が少なくなる。
【図面の簡単な説明】
【００１２】
【図１】拡散板設置完成後を上から見た図である。
【図２】一般的なガラスだけの天窓の断面図である。
【図３】一体構造の拡散板取付リブの姿図である。
【図４】拡散板設置完成後の詳細図である。
【図５】拡散板と一体構造の拡散板取付リブの仮置き図である。
【図６】拡散板と一体構造の拡散板取付リブが設置された完成詳細図である。
【発明を実施するための形態】
【００１３】  以下、本発明の実施の形態を図面に基づいて詳細に説明する。
拡散板００１の設置作業は高所にて、限られた休業時に迅速、安全、正確に設置することが求められている。図１は、拡散板設置後を上から見た図であり、既設の取付鉄骨００３に拡散板００１と拡散板００１の継ぎ目に一体構造の拡散板取付リブ００２が設置されていることを示している。図２は、一般的なガラスだけの天窓の断面図である。ガラス００４の下部の取付鉄骨００３に拡散板００１を設置するのを説明するために必要な図である。図３は、一体構造の拡散板取付リブ００２の姿図である。一体構造の拡散板取付リブ００２の両端には拡散板横ずれ防止部００５を有し、一体構造の拡散板取付リブ００２の下部には既設の取付鉄骨００３からの一体構造の拡散板取付リブ００２の横ぶれ防止部００６を有するとともに、一体構造の拡散板取付リブ００２の上面は拡散板００１の繋ぎ部の拡散板の設置部００７も有している。拡散板押えプレート部００８はボルト、ナット部００９と固定され、短形幅は拡散板００１の熱伸縮幅を確保するための形状、寸法であり、長形幅は拡散板００１を押えこむための長さを有している。一体構造の拡散板取付リブ００２であることを示している。
【００１４】  図４は、拡散板設置完成後の詳細図である。既設の取付鉄骨００３に一体構造の拡散板取付リブ００２が拡散板００１とともに設置され、拡散板押えプレート部００８で押さえられていることを示している。図５は、拡散板００１と一体構造の拡散板取付リブ００２の仮置状態を表す図で、拡散板００１の繋ぎ目の熱伸縮幅を必要とする隙間が、拡散板押えプレー部００８の短形幅で確保されていることを示している。図６は、拡散板００１と一体構造の拡散板取付リブ００２が設置された完成詳細図であり、拡散板押えプレート００８を１０ミリ程度持ち上げ９０度回転しボルト蝶ナット００９で締め拡散板００１を固定していることを示している。
【００１５】  作業手順は、拡散板００１二枚を既存の取付鉄骨００３に載せ、次に一体構造の拡散板取付リブ００２を拡散板００１の繋ぎ目に挿入する。一体構造の拡散板取付リブ００２の横ずれ防止部００５、００６に取付鉄骨００３と拡散板００１が納まっていることを確認し、拡散板押えプレート部００６の幅で拡散板００１の熱伸縮幅が確保されていることも確認し、拡散板押えプレート部００８を１０ミリ程度持ち上げ、９０度回転しボルト、蝶ナット部００９を手で回し締める。
以下同じ作業を水下または水上側に繰り返して完成させる。
【００１６】  高所作業車又は作業足場から上向きの作業となるため、構成部材はできるだけ少なく作業手間も簡単に安全に行えることが求められている。本考案は、構成部材を一つにまとめたことを特長とする、一体構造の拡散板取付リブ００１であり、拡散板００２を取付工具不要で設置できる。
【符号の説明】
【００１７】００１：拡散板
００２：一体構造の拡散板取付リブ
００３：既設の取付鉄骨
００４：既設天窓のガラス
００５：一体構造の拡散板取付リブからの拡散板の横ずれ防止部
００６：既設の取付鉄骨からの一体構造の拡散板取付リブの横ずれ防止部
００７：拡散板の設置部
００８：拡散板押えプレート部
００９：押えプレート部に固定されたボルト・蝶ナット部
【図１】
2019127811.tif 000003
【図２】
2019127811.tif 000004
【図３】
2019127811.tif 000005
【図４】
2019127811.tif 000006
【図５】
2019127811.tif 000007
【図６】
2019127811.tif 000008